(57)【要約】【課題】入力操作が中断された場合に、操作者に負担を強いることなく入力状況を把握することができ、入力操作を容易に再開することができる車両用ナビゲーション装置を提供する。【解決手段】操作装置２によって文字データを選択する機能と、選択している文字データを音声にて出力するスピーカー５とを持つナビゲーション装置７において、文字データ入力時に、所定時間操作がない場合もしくは操作禁止状態を解除された場合に、その時点までの入力済の文字データを頭から読み上げる入力済文字データ読み上げモードに切り替わる。【選択図】図１
2008111851.tif 000002
【特許請求の範囲】
【請求項１】
操作部材によって文字データを選択する機能と、選択している文字データを音声にて出力する音声出力機能とを持つナビゲーション装置において、文字データ入力時に、所定時間操作がない場合もしくは操作禁止状態を解除された場合に、その時点までの入力済の文字データを頭から読み上げる入力済文字データ読み上げモードに切り替わることを特徴とする車両用ナビゲーション装置。
【請求項２】
前記入力済の文字データを読み上げる前に、読み上げることを知らせる旨の音声データを出力させることを特徴とする請求項１に記載の車両用ナビゲーション装置。
【請求項３】
前記入力済の文字データをナビゲーション装置の検索対象リストに照らし合わせて該当する対象候補の件数を絞り込み、その候補が一定数以下になったときに、対象候補を一件ずつ読み上げる項目読み上げモードに切り替わるとともに、
前記入力済の文字データを繰り返し読み上げ可能とし、その読み上げ回数に制限をかけ、該読み上げ回数の制限により繰り返し読み上げを中止した後、再び操作が開始された時には、その時点までの入力済の文字データを再度読み上げることを特徴とすることを特徴とする請求項１に記載の車両用ナビゲーション装置。
【請求項４】
前記入力済の文字データを頭から読み上げる際に、入力済の文字データをナビゲーション装置の検索対象リストに照らし合わせて、該当する対象候補の件数を絞り込み、その候補が一定数以下になったときに、対象候補を１件ずつ読み上げるナビゲーション装置において、対象候補から選択対象を選択する決定の入力が無い限り、順次繰り返し対象候補を読み上げることを特徴とする請求項１に記載の車両用ナビゲーション装置。
【発明の詳細な説明】
【技術分野】
【０００１】
本発明は、音声出力可能な車両用ナビゲーション装置に関するものである。
【背景技術】
【０００２】
この種の車両用ナビゲーション装置として、入力操作が中断された場合に音声出力による「トークバック」機能を備えたものがある。例えば、特許文献１には、入力中の文字のうち、カーソルで指定した文字を音声出力する技術が開示されている。また、特許文献２には、目的地設定のための項目を、一つずつ順に読み上げていく技術が開示されている。また、特許文献３には、所定時間経過しても入力がない場合にのみ、音声による操作説明を行う技術が開示されている。また、特許文献４には、再表示コマンドを入力すると、操作が中断した時点で表示されていた所定のリスト画面をいきなり表示させる技術が開示されている。
【特許文献１】特開２００２−４８５８０号公報
【特許文献２】特許第２９９７１６４号公報
【特許文献３】特開平６−４４４９１号公報
【特許文献４】特開２００２−１８１５７５号公報
【発明の開示】
【発明が解決しようとする課題】
【０００３】
しかしながら、従来の技術においては、音声出力されても、操作者が入力状況を直ぐに把握できない場合が生じうる。例えば、同じ文字を複数入力したり、入力文字数が多い場合に、入力操作が中断されると、カーソルで指定した文字等を音声出力しても、それのみでは操作者は入力状況を把握することは困難である。
このような場合には、操作者は視界を表示画面に切り換えて入力状況を把握しなければならず、操作者に作業負担を強いることになるため、好ましくない。特に、交差点での信号待ち等の短時間の間に入力操作を再開しようとしても、入力作業状況を把握するのに時間をとられてしまい結局入力作業が行えない場合も考えられ、利便性に欠けるという問題があった。
【０００４】
本発明は、このような事情に鑑みてなされたもので、入力操作が中断された場合に、操作者に負担を強いることなく入力状況を把握することができ、入力操作を容易に再開することができる車両用ナビゲーション装置を提供することを目的とする。
【課題を解決するための手段】
【０００５】
本発明は上記課題を解決するためになされたものであり、請求項１に記載の発明は、操作部材（例えば、実施の形態における操作装置２）によって文字データを選択する機能と、選択している文字データを音声にて出力する音声出力機能（例えば、実施の形態におけるスピーカー５）とを持つナビゲーション装置（例えば、実施の形態におけるナビゲーション装置７）において、文字データ入力時に、所定時間操作がない場合もしくは操作禁止状態を解除された場合に、その時点までの入力済の文字データを頭から読み上げる入力済文字データ読み上げモードに切り替わることを特徴とする。
【０００６】
この発明によれば、文字データの入力作業を開始して、文字入力途中で操作者が自発的に中断したり操作禁止状態になると、所定時間操作がない場合もしくは操作禁止状態を解除された場合に、前記入力済文字データ読み上げモードに切り替わって、その時点までの入力済の文字データが頭から読み上げられるため、操作者は視界を表示画面に切り換えずに入力状況を把握することができ、入力作業を容易に再開することが可能となる。
【０００７】
請求項２に記載した発明は、前記入力済の文字データを読み上げる前に、読み上げることを知らせる旨の音声データを出力させることを特徴とする。
【０００８】
この発明によれば、操作者は、前記入力済の文字データが読み上げられる事を前記音声データにより注意喚起されるので、前記文字データの読み上げを聞き逃しにくくなると共に、読み上げられる内容が入力済の文字データか項目の内容なのかを容易に判別できるので、利便性が高められる。
【０００９】
請求項３に記載した発明は、前記入力済の文字データをナビゲーション装置の検索対象リストに照らし合わせて該当する対象候補の件数を絞り込み、その候補が一定数以下になったときに、対象候補を一件ずつ読み上げる項目読み上げモードに切り替わるとともに、
前記入力済の文字データを繰り返し読み上げ可能とし、その読み上げ回数に制限をかけ、該読み上げ回数の制限により繰り返し読み上げを中止した後、再び操作が開始された時には、その時点までの入力済の文字データを再度読み上げることを特徴とすることを特徴とする。
【００１０】
この発明によれば、前記文字データが繰り返し読み上げられることにより、操作者への注意をさらに喚起できるとともに、読み上げ回数に制限をかけることにより、操作者が入力作業の継続の意志のない場合に読み上げが繰り返されることへの違和感を防止することができる。加えて、前記読み上げ中止後に、再び操作が開始された時には、その時点までに入力した内容が読み上げられるので、入力中断時間が長くなった場合であっても、操作者は視界を表示画面に切り換えずに入力状況を把握することができ、入力作業を容易に再開することが可能となる。
【００１１】
また、対象候補が一定件数以下に絞り込まれてから対象候補を読み上げるため、該当する対象候補が読み上げられるまでの待ち時間が少なくなるとともに、文字データを最後まで入力しなくても対象候補を選択することが可能となり、操作性が向上する。
【００１２】
請求項４に記載した発明は、前記入力済の文字データを頭から読み上げる際に、入力済の文字データをナビゲーション装置の検索対象リストに照らし合わせて、該当する対象候補の件数を絞り込み、その候補が一定数以下になったときに、対象候補を１件ずつ読み上げるナビゲーション装置において、対象候補から選択対象を選択する決定の入力が無い限り、順次繰り返し対象候補を読み上げることを特徴とする。
【００１３】
この発明によれば、対象候補を一定数以下に絞り込んでいるので、これらの対象候補を短時間で読み上げることができ、対象候補から選択対象を選択する決定をしそこねた場合でも、再び既に絞り込まれた対象候補が繰り返し読み上げられるため、操作者は、表示画面を見なくても、対象候補から選択対象の選択を短時間で容易に行うことが可能となる。
【発明の効果】
【００１４】
以上説明したように、請求項１に記載した発明によれば、操作者は視界を表示画面に切り換えずに入力状況を把握することができ、入力作業を容易に再開することが可能となる。
請求項２に記載した発明によれば、前記文字データの読み上げを聞き逃しにくくなると共に、読み上げられる内容が入力済の文字データか項目の内容なのかを容易に判別できるので、利便性が高められる。
請求項３に記載した発明によれば、操作者への注意をさらに喚起できるとともに、操作者に違和感を与えることを防止することができる。加えて、再び操作が開始された時には、操作者は、表示画面を見なくても、次に何を入力すればよいかが容易に推測することができ、前方視界を確保しつつ、入力作業を再開することができる。
また、該当する対象候補が読み上げられるまでの待ち時間が少なくなるとともに、文字データを最後まで入力しなくても対象候補を選択することが可能となり、操作性が向上する。
請求項５に記載した発明によれば、操作者は、表示画面を見なくても、対象候補から選択対象の選択を短時間で容易に行うことが可能となる。
【発明を実施するための最良の形態】
【００１５】
以下、本発明の実施の形態における車両用ナビゲーション装置を図面と共に説明する。図１は本発明の実施の形態における車両用ナビゲーション装置（ナビゲーション装置）７を搭載した車両１の概略構成図である。
前記車両１には、操作装置２と、ＧＰＳセンサ３と、車速センサ４と、スピーカー５と、表示装置６と、ナビゲーション装置７とを備えている。ナビゲーション装置７は、操作装置２、ＧＰＳセンサ３、車速センサ４のそれぞれから信号が入力され、これらの信号に基づいて、スピーカー５や表示装置６に出力を行う。
以下、各装置について説明する。
【００１６】
前記操作装置２は、操作者（この場合は車両の搭乗者）からの入力操作によって操作され、ナビゲーション装置７を介して表示装置６への入力作業を行うことが可能である。また、操作装置２を同様に操作することで、後述する対象候補から選択対象を選択することも可能である。
【００１７】
ＧＰＳセンサ３は車両１の位置情報を検出するセンサ、車速センサ４は車両１の速度Ｖを検出するセンサであり、それぞれの検出値をナビゲーション装置７に入力する。
【００１８】
ナビゲーション装置７は、データベース８、メモリー９、ＣＰＵ１０、プログラム１１を備えている。データベース８には、表示装置６に表示させる各種項目やその項目内容のデータが記憶されている。前記データベース８には、各データに対応する音声認識語彙を対応づけて記憶している。
【００１９】
また、メモリー９には、データベース８から抽出されたデータや操作装置２から入力された入力済データ、および該データの音声識別語彙等が適宜書込、消去される。このように、出力対象となるデータを一旦メモリー９に保持させることで、音声認識語彙の付与された大容量の文字データ等を短時間で出力することが可能となる。
【００２０】
また、ＣＰＵ１０は、前記プログラム１１に基づいて作動し、データベース８からメモリー９へのデータの抽出処理や、抽出されたデータに対応づけられた音声認識語彙の音声ファイルへの変換処理、スピーカー５や表示装置６への出力処理等を行う。プログラム１１は、操作装置２やＧＰＳセンサ３、車速センサ４からの入力情報に基づいて、ＣＰＵ１０を複数のモードで制御させる。
【００２１】
具体的には、ＣＰＵ１０は、前記車両センサ４から送信された出力値に応じて、車両１の走行状態の有無を判定し、走行状態と判定された場合には入力操作を禁止する制御を行う。この走行状態の判定は、例えば、予め設定された基準値と前記出力値とを比較して、出力値が基準値以上の場合は走行状態、基準値未満の場合は停止状態とすることで行うことができる。
【００２２】
また、ＣＰＵ１０は、入力済データ読み上げモードを備えており、操作装置２からの入力信号が所定時間ない場合もしくは操作禁止状態を解除された場合に、その時点までの入力済の文字データを頭から読み上げる。また、ＣＰＵ１０は、項目読み上げモードを備えており、検索対象が一定数以下になったときに、対象候補を１件ずつ読み上げる。これらについては図２の説明において後述する。
【００２３】
表示装置６は、ＣＰＵ１０により出力される前記メモリー９上のデータや地図データをその表示画面に表示する。スピーカー５は、ＣＰＵ１０により出力される音声ファイルを音声出力する。
【００２４】
上記のように構成されたナビゲーション装置７の作用について以下の図を用いて説明する。
図２は図１に示す車両用ナビゲーション装置における入力制御処理を示すフローチャートである。図４〜図６は図１に示す表示装置６における表示画面の一例を示す図である。図７、図８は図１に示すメモリー９に抽出される検索対象リストの一例を示す図である。
【００２５】
まず、図２のステップＳ１２で、操作者が、操作装置２にて、通常の５０音文字入力またはトークバック（音声出力）を頼りに文字入力をする。例えば、図４に示したように、「とうきょうえ」までが既に入力され、入力済の最後の文字「え」の位置にカーソルがある。そして、ステップＳ１４で、車両１の走行状態を、車速センサ４で検出した車速Ｖが０かどうかにより判定し、判定結果がＹｅｓの場合は停止状態と判定されてステップＳ１６に進み、判定結果がＮｏの場合には走行状態と判定されてステップＳ３２に進む。
【００２６】
ステップＳ３２では、車両１が走行状態と判定されたことにより、文字入力操作を禁止する。この場合には、図５に示したように、表示装置６の表示画面上から入力画面（斜線部分）が表示されなくなる。これにより、操作者は走行中は文字入力を行わずに運転を行う。そして、ステップＳ３４で、車速Ｖが０かどうかを再度判定し、判定結果がＹｅｓであればステップＳ１８に進み、判定結果がＮｏであればステップＳ３２の処理に戻る。換言すれば、車両１が停止状態になるまで、文字入力操作が禁止される。
【００２７】
一方、ステップＳ１６では、無操作時間ΔＴが所定時間α以上かどうかを判定し、判定結果がＹｅｓであればステップＳ１８に進み、判定結果がＮｏであれば（所定時間α以内に操作されれば）再度ステップＳ１２の処理に戻る。
【００２８】
ステップＳ１８で、対象候補の絞り込みが可能かどうかを判定する。この判定は、前記入力済の文字データをナビゲーション装置７の検索対象リストに照らし合わることで行い、対象候補の件数が一定数（例えば５件）以下になったときに絞り込み可能と判断する（図７参照）。ステップＳ１８の判定結果がＹｅｓの場合（絞り込み可能と判断された場合）にはステップＳ２０に進み、対象候補を一件ずつ読み上げる項目読み上げモードに切り替わる。また、ステップＳ１８の判定結果がＮｏの場合（絞り込み可能と判断されなかった場合）にはステップＳ３６に進む。
【００２９】
ステップＳ２０では、「候補がＸ件になりました」という音声出力をスピーカー５から行い、操作者に操作の判断を促す。ステップＳ２２で無操作時間ΔＴが所定値γ以上かどうかを判定し、判定結果がＮｏであれば（所定値γ経過前に操作されれば）、ステップＳ１２に戻ってそれ以降の処理を行う。また、判定結果がＹｅｓであれば、ステップＳ２４では絞り込まれた対象候補の読み上げを開始する（図８参照）。
【００３０】
このように、ステップＳ２０のような音声出力を行うことで、操作者は、候補が読み上げられることを注意喚起されるので、対象候補の読み上げを聞き逃しにくくなると共に、読み上げられる内容が入力済の文字データか項目の内容なのかを容易に判別できるので、利便性が高められる。また、対象候補の件数が一定数以下に絞り込まれているため、該当する対象候補が読み上げられるまでの待ち時間が少なくなる。また、文字データを最後まで入力しなくても対象候補を選択することが可能となり、操作性が向上する。
【００３１】
そして、ステップＳ２６で、対象候補の選択操作がされたかどうかを判定し、判定結果がＹｅｓであればステップＳ３６に進み、判定結果がＮｏの場合にはステップＳ２８に進む。ステップＳ２８では、対象候補の中から選択対象（例えば、「とうきょうえき」）が決定操作されたかどうかを判定する。この判定結果がＹｅｓであればステップＳ３０に進み、選択終了して、一連の処理を終了する。
また、判定結果がＮｏであれば、ステップＳ２４に戻る。
【００３２】
また、上述したステップＳ１８で絞り込み可能と判定されなかった場合やステップＳ２６で選択操作をされた場合には、ステップＳ３６で「読み上げます」との発話をスピーカー５から行う。これにより、操作者は、前記入力済の文字データが読み上げられる事を注意喚起されるので、これから読み上げられる文字データを聞き逃しにくくなる。また、読み上げられる内容が入力済の文字データか項目の内容なのかを容易に判別できるので、利便性が高められる。
【００３３】
そして、ステップＳ３８で、入力済文字（例えば、「とうきょうえ」）を頭から読み上げる（図６参照）。このとき、読み上げ回数の値Ｎに１を加算する。このＮの初期値は０である。
ステップＳ４０で、無操作時間ΔＴが所定値β以上かどうかを判定し、判定結果がＹｅｓであればステップＳ４４に進み、判定結果がＮｏであれば（所定値β経過前に操作されれば）ステップＳ４２に進む。ステップＳ４２で継続して文字入力された場合には、ステップＳ１２に戻ってそれ以降の処理を行う。ステップＳ４４では、読み上げ回数Ｎが所定値ｎ１より大きいかどうかを判定し、判定結果がＹｅｓであればステップＳ４６に進み、判定結果がＮｏであればステップＳ３８に戻る。このように、前記文字データが繰り返し読み上げられることにより、操作者への注意をさらに喚起できる。
【００３４】
また、ステップＳ４６で、操作の有無を判定し、判定結果がＹｅｓであればステップＳ３６の処理に戻り、判定結果がＮｏであればステップＳ４６の処理を再度行う。すなわち、入力済文字の読み上げを所定回数ｎ１回行った後、操作がなければ、操作者が入力作業の継続の意志がないか、入力以外の他の事に集中しており、入力作業を行えないと判定することができる。このような場合にまで読み上げを繰り返すと操作者に違和感を与える虞があるが、この場合には読み上げを中止してステップＳ４６の処理を継続することで、違和感を与える虞を防止することができる。また、ステップＳ４６の処理で、操作がされた場合には再度ステップＳ３６の処理に戻って読み上げが開始されるので、入力中断時間が長くなった場合であっても、操作者は視界を表示画面に切り換えずに入力状況を把握することができ、入力作業を容易に再開することができる。
【００３５】
以上説明したように、車両１が走行状態と判定されて操作禁止状態となったり、操作者による操作が所定時間αがない場合であっても、その時点までの入力済の文字データが頭から読み上げられるため、操作者は視界を表示画面に切り換えずに入力状況を把握することができ、入力作業を容易に再開することが可能となる。
【００３６】
図３は図１に示す車両用ナビゲーション装置７における他の入力制御処理を示すフローチャートである。この場合には、ステップＳ１２の後に、ステップＳ５０で、入力された文字の対象候補があるかどうかを判定し、判定結果がＮｏの場合に、ステップＳ５２で「候補がありません」と音声出力をする点と、車速を判断しない点とが、図２の場合と異なっている。このようにすると、走行状態に関わらず、操作者が表示装置６の画面を見ずに操作可能であり、操作性を高めることができる。なお、ステップＳ５２の後は、ステップＳ１２の処理に戻る。
【図面の簡単な説明】
【００３７】
【図１】図１は本発明の実施の形態における車両用ナビゲーション装置を示す概略構成図である。
【図２】図１に示す車両用ナビゲーション装置における入力制御処理を示すフローチャートである。
【図３】図１に示す車両用ナビゲーション装置における他の入力制御処理を示すフローチャートである。
【図４】図１に示す表示装置における表示画面の一例を示す図である。
【図５】図１に示す表示装置における表示画面の一例を示す図である。
【図６】図１に示す表示装置における表示画面の一例を示す図である。
【図７】図１に示すメモリーに抽出される検索対象リストの一例を示す図である。
【図８】図１に示すメモリーに抽出される検索対象リストの一例を示す図である。
【符号の説明】
【００３８】
２  操作装置
５  スピーカー
７  ナビゲーション装置
【図１】
2008111851.tif 000003
【図２】
2008111851.tif 000004
【図３】
2008111851.tif 000005
【図４】
2008111851.tif 000006
【図５】
2008111851.tif 000007
【図６】
2008111851.tif 000008
【図７】
2008111851.tif 000009
【図８】
2008111851.tif 000010
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
操作部材によって文字データを選択する機能と、選択している文字データを音声にて出力する音声出力機能とを持つナビゲーション装置において、
文字データ入力時に、その時点までの入力済の文字データをナビゲーション装置の検索対象リストに照らし合わせて該当する対象候補の件数を絞り込み、その候補が一定数以下になったときに、対象候補を一件ずつ読み上げる項目読み上げモードに切り替わることを特徴とする車両用ナビゲーション装置。
【請求項２】
文字データ入力時に、所定時間操作がない場合もしくは操作禁止状態を解除された場合に、その時点までの入力済の文字データをナビゲーション装置の検索対象リストに照らし合わせて該当する対象候補の件数を絞り込み、その候補が一定数以下になったときに、対象候補を一件ずつ読み上げる項目読み上げモードに切り替わることを特徴とする請求項１に記載の車両用ナビゲーション装置。
【請求項３】
前記項目読み上げモード中に対象候補から選択対象を選択する決定の入力が無い限り、順次繰り返し対象候補を読み上げることを特徴とする請求項１又は２に記載の車両用ナビゲーション装置。
【手続補正２】
【補正対象書類名】明細書
【補正対象項目名】０００５
【補正方法】変更
【補正の内容】
【０００５】
本発明は上記課題を解決するためになされたものであり、請求項１に記載の発明は、操作部材（例えば、実施の形態における操作装置２）によって文字データを選択する機能と、選択している文字データを音声にて出力する音声出力機能（例えば、実施の形態におけるスピーカー５）とを持つナビゲーション装置（例えば、実施の形態におけるナビゲーション装置７）において、文字データ入力時に、その時点までの入力済の文字データをナビゲーション装置の検索対象リストに照らし合わせて該当する対象候補の件数を絞り込み、その候補が一定数以下になったときに、対象候補を一件ずつ読み上げる項目読み上げモードに切り替わることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２に記載した発明は、請求項１に記載の発明において、文字データ入力時に、所定時間操作がない場合もしくは操作禁止状態を解除された場合に、その時点までの入力済の文字データをナビゲーション装置の検索対象リストに照らし合わせて該当する対象候補の件数を絞り込み、その候補が一定数以下になったときに、対象候補を一件ずつ読み上げる項目読み上げモードに切り替わることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
請求項３に記載した発明は、請求項１又は２に記載の発明において、前記項目読み上げモード中に対象候補から選択対象を選択する決定の入力が無い限り、順次繰り返し対象候補を読み上げることを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１５
【補正方法】変更
【補正の内容】
【００１５】
以上説明したように、本発明によれば、操作者は視界を表示画面に切り換えずに入力状況を把握することができ、入力作業を容易に再開することが可能となる。
また、該当する対象候補が読み上げられるまでの待ち時間が少なくなるとともに、文字データを最後まで入力しなくても対象候補を選択することが可能となり、操作性が向上する。
さらに、操作者は、表示画面を見なくても、対象候補から選択対象の選択を短時間で容易に行うことが可能となる。